(57)【要約】【課題】複数セルを用いて通信中の移動局に対して周辺セル情報を通知する場合に、移動局に通知・監視可能な範囲内でより効率的に通知できる周辺セル通知装置を提供すること。【解決手段】この周辺セル通知装置１１は、セルＡ２０１およびセルＢ３０１のそれぞれに対応する周辺セルを特定するための周辺セル情報を抽出するセル情報抽出部１１２と、当該抽出した周辺セル情報に基づいて、セルＡ２０１とセルＢ３０１とに共通する周辺セルに関する周辺セル情報を優先させて、移動局３０に通知する周辺セル情報の順位を決定するセル順位決定部１１４と、当該決定した順位に基づいて周辺セル情報の内の所定数の周辺セル情報を移動局３０に通知するセル情報通知部１１５とを含む。【選択図】  図１
2004193650.tif 000002
【特許請求の範囲】
【請求項１】
移動局と基地局との間で複数のセルを利用した無線通信を行う移動体通信網において前記移動局に所定の情報を通知する周辺セル通知装置であって、
前記複数のセルそれぞれに対応する周辺セルを特定するための周辺セル情報を抽出するセル情報抽出手段と、
当該抽出した周辺セル情報に基づいて、前記複数のセルの内の一のセルと他のセルとに共通する周辺セルに関する周辺セル情報を優先させて、前記移動局に通知する周辺セル情報の順位を決定するセル順位決定手段と、
当該決定した順位に基づいて前記周辺セル情報の内の所定数の周辺セル情報を前記移動局に通知するセル情報通知手段と、
を含む周辺セル通知装置。
【請求項２】
移動局と基地局との間で複数のセルを利用した無線通信を行う移動体通信網において前記移動局に所定の情報を通知する周辺セル通知装置であって、
前記複数のセルそれぞれに対応する周辺セルを特定するための周辺セル情報を抽出するセル情報抽出手段と、
当該抽出した周辺セル情報と、前記周辺セルごとに予め定められている優先順位情報とに基づいて、前記移動局に通知する周辺セル情報の順位を決定するセル順位決定手段と、
当該決定した順位に基づいて前記周辺セル情報の内の所定数の周辺セル情報を前記移動局に通知するセル情報通知手段と、
を含む周辺セル通知装置。
【請求項３】
前記セル順位決定手段は、
前記セル情報抽出手段が抽出した周辺セル情報に基づいて、前記複数のセルの内の一のセルと他のセルとに共通する周辺セルのいずれか一方の周辺セル情報を削除し、
当該削除した後の周辺セル情報と、前記周辺セルごとに予め定められている優先順位情報とに基づいて、前記移動局に通知する周辺セル情報の順位を決定する請求項２に記載の周辺セル通知装置。
【請求項４】
前記優先順位情報は、前記周辺セルそれぞれのハンドオーバ率に基づいて定められている請求項２または３に記載の周辺セル通知装置。
【請求項５】
前記優先順位情報は、前記周辺セルそれぞれの実装チャネル数に基づいて定められている請求項２または３に記載の周辺セル通知装置。
【請求項６】
移動局と基地局との間で複数のセルを利用した無線通信を行う移動体通信網において前記移動局に所定の情報を通知する周辺セル通知方法であって、
セル情報抽出手段が、前記複数のセルそれぞれに対応する周辺セルを特定するための周辺セル情報を抽出する抽出ステップと、
当該抽出した周辺セル情報に基づいて、セル順位決定手段が、前記複数のセルの内の一のセルと他のセルとに共通する周辺セルに関する周辺セル情報を優先させて、前記移動局に通知する周辺セル情報の順位を決定する決定ステップと、
当該決定した順位に基づいて、セル情報通知手段が、前記周辺セル情報の内の所定数の周辺セル情報を前記移動局に通知する通知ステップと、
を含む周辺セル通知方法。
【請求項７】
移動局と基地局との間で複数のセルを利用した無線通信を行う移動体通信網において前記移動局に所定の情報を通知する周辺セル通知方法であって、
セル情報抽出手段が、前記複数のセルそれぞれに対応する周辺セルを特定するための周辺セル情報を抽出する抽出ステップと、
当該抽出した周辺セル情報と、前記周辺セルごとに予め定められている優先順位情報とに基づいて、セル順位決定手段が前記移動局に通知する周辺セル情報の順位を決定する決定ステップと、
当該決定した順位に基づいて、セル情報通知手段が、前記周辺セル情報の内の所定数の周辺セル情報を前記移動局に通知する通知ステップと、
を含む周辺セル通知方法。
【請求項８】
前記決定ステップにおいて前記セル順位決定手段は、
前記セル情報抽出手段が抽出した周辺セル情報に基づいて、前記複数のセルの内の一のセルと他のセルとに共通する周辺セルのいずれか一方の周辺セル情報を削除し、
当該削除した後の周辺セル情報と、前記周辺セルごとに予め定められている優先順位情報とに基づいて、前記移動局に通知する周辺セル情報の順位を決定する請求項７に記載の周辺セル通知方法。
【請求項９】
前記優先順位情報は、前記周辺セルそれぞれのハンドオーバ率に基づいて定められている請求項７または８に記載の周辺セル通知方法。
【請求項１０】
前記優先順位情報は、前記周辺セルそれぞれの実装チャネル数に基づいて定められている請求項７または８に記載の周辺セル通知方法。
【発明の詳細な説明】
【０００１】
【発明の属する技術分野】
本発明は、移動局と基地局との間で複数のセルを利用した無線通信を行う移動体通信網において前記移動局に所定の情報を通知する周辺セル通知装置および周辺セル通知方法に関するものである。
【０００２】
【従来の技術】
代表的な移動通信システムであるＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎｓ−２０００）におけるＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）システムでは、複数のセルを同時に使用して通信を行い、信号の合成や選択により品質の向上を図るＤＨＯ（Ｄｉｖｅｒｓｉｔｙ  ＨａｎｄＯｖｅｒ）が採用されている。このＷ−ＣＤＭＡシステムにおいて、通信中の移動局がハンドオーバに備えて監視すべき周辺セルの情報は、無線制御局がシステムデータなどで保持していて、通信中の移動局にメッセージで通知される。ＤＨＯで複数のセルを使用して通信中の移動局には、それぞれのセルに対応する周辺セル情報が送信される。
【０００３】
移動局側の能力的な制約により、通知・監視可能な周辺セルの総数が制限される場合がある。そこで、無線制御局から移動局へ送信される周辺セル情報の情報効率を上げるために、ＤＨＯで複数のセルを使用して通信中の場合には、各セルの周辺セル情報で重複したセルについてはその重複分に関する周辺セル情報を送信しないようにする手法がある。尚、この従来技術は文献公知発明に係るものではないため、先行技術文献情報を記載することができない。
【０００４】
【発明が解決しようとする課題】
従来の手法による周辺セル情報の通知の例について説明する。移動局の能力的な制約により、通知・監視可能な周辺セルの総数は１０セルとする。その移動局は２つのセルを使用して通信中であり、それぞれ９セルづつの周辺セルがあるものとする。それぞれの周辺セル相互で重複しているセルは４セルとする。従って通知すべき周辺セル情報は１４となる。しかしながら、通知・監視可能な周辺セルの総数は１０セルであるから、なおも４セル分超過することとなる。つまり、周辺セル相互の重複セルに関する情報を排除しても、なおも通知・監視可能な周辺セルの総数を超過するといった解決すべき課題がある。
【０００５】
そこで本発明では、複数セルを用いて通信中の移動局に対して周辺セル情報を通知する場合に、移動局に通知・監視可能な範囲内でより効率的に通知できる周辺セル通知装置および周辺セル通知方法を提供することを課題とする。
【０００６】
【課題を解決するための手段】
本発明者らは、前述の課題を解決するために種々の検討を行った。例えば、前述の例と同様に、通知・監視可能な周辺セルの総数１０セルに対して、通知すべき周辺セル情報が１４セル分となった場合に、無線制御局が作成した周辺セル情報のテーブルの順番に従って後方の４セルを削除して前方の１０セルを通知するという手法を検討した。しかし、無線制御局が作成するテーブルは、無作為に作るものであるから必ずしも通信に最適なセルが選択されるとは限らない。例えば実装チャネル数が比較的多いセルがそのテーブルの前方に配置されない場合があり、通信品質劣化やシステム容量の縮小が懸念される。そこで、本発明者らは更に検討を重ね、セルに関する情報に所定の処理を行うことでより適当なセルを特定できることを見出した。本発明はこれらの知見に基づいてなされたものである。
【０００７】
本発明の周辺セル通知装置は、移動局と基地局との間で複数のセルを利用した無線通信を行う移動体通信網において移動局に所定の情報を通知する周辺セル通知装置であって、複数のセルそれぞれに対応する周辺セルを特定するための周辺セル情報を抽出するセル情報抽出手段と、当該抽出した周辺セル情報に基づいて、複数のセルの内の一のセルと他のセルとに共通する周辺セルに関する周辺セル情報を優先させて、移動局に通知する周辺セル情報の順位を決定するセル順位決定手段と、当該決定した順位に基づいて周辺セル情報の内の所定数の周辺セル情報を移動局に通知するセル情報通知手段と、を含む。
【０００８】
本発明の周辺セル通知装置によれば、周辺セル情報に基づいて、通信に用いている複数のセルのうちの一のセルと他のセルとに共通する周辺セルに関する周辺セル情報を優先させて移動局に通知するので、これらの共通するセルがハンドオーバ候補にならないために生じる通信品質の劣化やシステム容量の縮小を極力抑制できる。
【０００９】
本発明の周辺セル通知装置は、移動局と基地局との間で複数のセルを利用した無線通信を行う移動体通信網において移動局に所定の情報を通知する周辺セル通知装置であって、複数のセルそれぞれに対応する周辺セルを特定するための周辺セル情報を抽出するセル情報抽出手段と、当該抽出した周辺セル情報と、周辺セルごとに予め定められている優先順位情報とに基づいて、移動局に通知する周辺セル情報の順位を決定するセル順位決定手段と、当該決定した順位に基づいて周辺セル情報の内の所定数の周辺セル情報を移動局に通知するセル情報通知手段と、を含む
【００１０】
本発明の周辺セル通知装置によれば、周辺セル情報と優先順位情報とに基づいて、移動局に通知する周辺セル情報の順位を決定するので、優先順位をセルの通信状況といった環境要因に応じて定めることで、通信品質の劣化やシステム容量の縮小を極力抑制できる。
【００１１】
また本発明の周辺セル通知装置では、セル順位決定手段は、セル情報抽出手段が抽出した周辺セル情報に基づいて、複数のセルの内の一のセルと他のセルとに共通する周辺セルのいずれか一方の周辺セル情報を削除し、当該削除した後の周辺セル情報と、周辺セルごとに予め定められている優先順位情報とに基づいて、移動局に通知する周辺セル情報の順位を決定することも好ましい。共通する周辺セルに関する周辺セル情報を削除するので、移動局に通知する周辺セル情報の順位をより効率的に決定できる。
【００１２】
また本発明の周辺セル通知装置では、優先順位情報は、周辺セルそれぞれのハンドオーバ率に基づいて定められていることも好ましい。ハンドオーバ率は通信品質と相関関係があり、例えばハンドオーバ率が統計的に高いセルはハンドオーバ候補とならなかった場合に比較的通信品質の劣化が著しいので、そのようなセルに優先的にハンドオーバさせるようにすれば通信品質の劣化やシステム容量の縮小を極力抑制できる。
【００１３】
また本発明の周辺セル通知装置では、優先順位情報は、周辺セルそれぞれの実装チャネル数に基づいて定められていることも好ましい。実装チャネル数は通信品質と相関関係があり、例えば実装チャネル数が比較的多いセルの優先順位を高く設定することで通信品質の劣化やシステム容量の縮小を極力抑制できる。
【００１４】
本発明の周辺セル通知方法は、移動局と基地局との間で複数のセルを利用した無線通信を行う移動体通信網において移動局に所定の情報を通知する周辺セル通知方法であって、セル情報抽出手段が、複数のセルそれぞれに対応する周辺セルを特定するための周辺セル情報を抽出する抽出ステップと、当該抽出した周辺セル情報に基づいて、セル順位決定手段が、複数のセルの内の一のセルと他のセルとに共通する周辺セルに関する周辺セル情報を優先させて、移動局に通知する周辺セル情報の順位を決定する決定ステップと、当該決定した順位に基づいて、セル情報通知手段が、周辺セル情報の内の所定数の周辺セル情報を移動局に通知する通知ステップと、を含む。
【００１５】
本発明の周辺セル通知方法によれば、周辺セル情報に基づいて、通信に用いている複数のセルのうちの一のセルと他のセルとに共通する周辺セルに関する周辺セル情報を優先させて移動局に通知するので、これらの共通するセルがハンドオーバ候補にならないために生じる通信品質の劣化やシステム容量の縮小を極力抑制できる。
【００１６】
本発明の周辺セル通知方法は、移動局と基地局との間で複数のセルを利用した無線通信を行う移動体通信網において移動局に所定の情報を通知する周辺セル通知方法であって、セル情報抽出手段が、複数のセルそれぞれに対応する周辺セルを特定するための周辺セル情報を抽出する抽出ステップと、当該抽出した周辺セル情報と、周辺セルごとに予め定められている優先順位情報とに基づいて、セル順位決定手段が移動局に通知する周辺セル情報の順位を決定する決定ステップと、当該決定した順位に基づいて、セル情報通知手段が、周辺セル情報の内の所定数の周辺セル情報を移動局に通知する通知ステップと、を含む。
【００１７】
本発明の周辺セル通知方法によれば、周辺セル情報と優先順位情報とに基づいて、移動局に通知する周辺セル情報の順位を決定するので、優先順位をセルの通信状況といった環境要因に応じて定めることで、通信品質の劣化やシステム容量の縮小を極力抑制できる。
【００１８】
また本発明の周辺セル通知方法では、決定ステップにおいてセル順位決定手段が、セル情報抽出手段が抽出した周辺セル情報に基づいて、複数のセルの内の一のセルと他のセルとに共通する周辺セルのいずれか一方の周辺セル情報を削除し、当該削除した後の周辺セル情報と、周辺セルごとに予め定められている優先順位情報とに基づいて、移動局に通知する周辺セル情報の順位を決定することも好ましい。共通する周辺セルに関する周辺セル情報を削除するので、移動局に通知する周辺セル情報の順位をより効率的に決定できる。
【００１９】
また本発明の周辺セル通知方法では、優先順位情報は、周辺セルそれぞれのハンドオーバ率に基づいて定められていることも好ましい。ハンドオーバ率は通信品質と相関関係があり、例えばハンドオーバ率が統計的に高いセルはハンドオーバ候補とならなかった場合に比較的通信品質の劣化が著しいので、そのようなセルに優先的にハンドオーバさせるようにすれば通信品質の劣化やシステム容量の縮小を極力抑制できる。
【００２０】
また本発明の周辺セル通知方法では、優先順位情報は、周辺セルそれぞれの実装チャネル数に基づいて定められていることも好ましい。実装チャネル数は通信品質と相関関係があり、例えば実装チャネル数が比較的多いセルの優先順位を高く設定することで通信品質の劣化やシステム容量の縮小を極力抑制できる。
【００２１】
【発明の実施の形態】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００２２】
本発明の実施形態である周辺セル通知装置について図１を用いて説明する。図１は周辺セル通知装置１１を説明するために、この周辺セル通知装置１１が含まれる移動体通信網の一部を示した図である。周辺セル通知装置１１は無線制御局１０に含まれている。無線制御局１０は、基地局２０とコア・ネットワーク４０とに接続されており、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）システムを採用する移動体通信網の一部を構成する。移動局３０は基地局２０および無線制御局１０を介してコア・ネットワーク４０と通信を行うように構成されている。この実施形態では説明の都合上、移動局３０、基地局２０、および無線制御局１０はそれぞれ一つづつ示してあるけれども、これらはサービスエリア内に複数存在するのが一般的である。
【００２３】
セルＡ２０１〜セルＡ２０９およびセルＢ３０１〜セルＢ３０９は、移動体通信網における複数のセルであり、この実施形態の場合には、移動局３０と基地局２０とはセルＡ２０１およびセルＢ３０１を用いてＤＨＯ（ＤｉｖｅｒｓｉｔｙＨａｎｄＯｖｅｒ）の状態にある。セルＡ２０１の周囲には周辺セルとしてセルＡ２０２〜セルＡ２０９が存在し、セルＢ３０１の周囲には周辺セルとしてセルＶ３０２〜セルＢ３０９が存在する。これらのセル名称は便宜的に付されたものであり、例えば、各セルの名称が異なってもセルのＩＤが同一であれば、システム上は同一のセルである。
【００２４】
無線制御局１０には周辺セル通知装置１１が含まれる。周辺セル通知装置１１は、物理的には、ＣＰＵ（中央処理装置）、ＲＡＭやＲＯＭといったメモリ、ハードディスクといった格納装置、キーボードやディスプレイといった入出力装置を含むコンピュータシステムとして構成されている。周辺セル通知装置１１は、それ自体が単独のコンピュータシステムとして構成されていてもよいけれども、無線制御局１０の他のコンピュータシステムの一部となっていてもよい。
【００２５】
周辺セル通知装置１１は、機能的な構成要素として、セル情報入力部１１１と、セル情報抽出部（セル情報抽出手段）１１２と、セル情報バッファ部１１３と、セル順位決定部（セル順位決定手段）１１４と、セル情報通知部（セル情報通知手段）１１５と、セル情報格納部１２０とを含む。引き続いて、各構成要素について詳細に説明する。
【００２６】
セル情報入力部１１１は、移動局３０が基地局２０と通信を行う際に使用しているセルに関する情報を取得しセル情報抽出部１１２に出力する部分である。図１の例に拠れば、移動局３０はセルＡ２０１およびセルＢ３０１を使用して通信を行っているので、セルＡ２０１およびセルＢ３０１を特定するセルＩＤといった情報をセル情報入力部１１１が取得してセル情報抽出部１１２に出力する。
【００２７】
セル情報抽出部１１２は、セル情報入力部１１１から出力されたセルに関する情報に基づいて、移動局３０が通信を行っているセルの周辺セル情報を抽出する部分である。より具体的には、セル情報入力部１１１から出力された情報に基づいて、セル情報格納部１２０に格納されている周辺セル情報を抽出する。ここで、セル情報格納部１２０には、システムデータとして各セルに関する情報や、各セルを特定するための情報が格納されている。セル情報抽出部１１２は、抽出した周辺セル情報をセル情報バッファ部１１３に出力する。セル情報バッファ部１１３は出力された周辺セル情報を一時的に格納する部分である。
【００２８】
セル順位決定部１１４は、セル情報バッファ部１１３に格納されている周辺セル情報を編集した上で、その編集後の周辺セル情報をセル情報バッファ部１１３に戻す処理を行う部分である。セル順位決定部１１４が周辺セル情報を編集する態様は種々のものがある。一例としては、セル順位決定部１１４は、セル情報抽出部１１２が抽出した周辺セル情報に基づいて、移動局３０が通信を行う際に使用している複数のセルの内の一のセルと他のセルとに共通する周辺セルに関する周辺セル情報を優先させて編集を行う。別の例としては、セル順位決定部１１４は、セル情報抽出部１１２が抽出した周辺セル情報と、周辺セル毎に予め定められている優先順位情報とに基づいて編集を行う。更に別の例としては、セル順位決定部１１４は、セル情報抽出部１１２が抽出した周辺セル情報に基づいて、重複する周辺セル情報の一方を削除し、その削除後の周辺セル情報と周辺セル毎に予め定められている優先順位情報とに基づいて編集を行う。これらの詳細については後述する。
【００２９】
セル情報通知部１１５は、セル順位決定部１１４が編集を行ってセル情報バッファ部１１３に格納している周辺セル情報を移動局３０に通知する部分である。セル情報通知部１１５は、この通知を行う場合にセル情報バッファ部１１３に格納されている周辺セル情報が移動局３０の通知・監視能力を超えている場合には、その能力を超えない範囲で周辺セル情報を通知する。
【００３０】
引き続いて、周辺セル通知装置１１が移動局３０に周辺セル情報を通知する第１の方法について図２を用いて説明する。セル情報抽出部１１２は、セル情報入力部１１１からの出力に応じて、セル情報格納部１２０に格納されている周辺セル情報を抽出する（ステップＳ０１）。セル情報入力部１１１から出力された情報がセルＡ２０１およびセルＢ３０１に関するものである場合には、セルＡ２０１〜セルＡ２０９およびセルＢ３０１〜セルＢ３０９に関する情報を周辺セル情報として、図３（ａ）および図３（ｂ）に示すようなテーブル形式でセル情報バッファ部１１３に出力格納する（ステップＳ０２）。
【００３１】
セル情報バッファ部１１３に周辺セル情報が格納されると、セル順位決定部１１４は合成テーブルを作成する（ステップＳ０３）。本実施形態の場合には、セルＡ２０１に関する周辺セル情報（図３（ａ）参照）とセルＢ３０１に関する周辺セル情報（図３（ｂ）参照）とを合成する。この合成の方法は種々の方法が採用されるが、本実施形態の場合には図４（ａ）に示すように、セルＡ２０１に関する周辺セル情報とセルＢ３０１に関する周辺セル情報とを交互に組み合わせて合成する。
【００３２】
セル順位決定部１１４は、図４（ａ）に示す合成テーブルに基づいて、重複している周辺セルを特定する（ステップＳ０４）。図４（ａ）の例では、セルＡ２０１とセルＢ３０７が、セルＢ３０１とセルＡ２０７が、セルＡ２０６とセルＢ３０６が、セルＡ２０８とセルＢ３０８が、それぞれセルＩＤが同一であり重複している。
【００３３】
セル順位決定部１１４は、ステップＳ０４で特定した重複している周辺セルの一方をテーブルの前方に配置する（ステップＳ０５）。すなわち、セルＡ２０１、セルＢ３０１、セルＡ２０６、セルＡ２０８をテーブルの前方に配置する。セル順位決定部１１４は、ステップＳ０４で特定した重複している周辺セルの他方を削除する（ステップＳ０６）。すなわち、セルＢ３０７、セルＡ２０７、セルＢ３０６、セルＢ３０８をそれぞれ削除して、セル情報バッファ部１１３に格納する。
【００３４】
セル情報通知部１１５は、ステップＳ０６でセル順位決定部１１４がセル情報バッファ部１１３に格納した周辺セル情報から超過分を削除する（ステップＳ０７）。セル情報通知部１１５は、これらの処理を行った周辺セル情報（図４（ｂ）参照）を移動局３０に通知する（ステップＳ０８）。
【００３５】
引き続いて、周辺セル通知装置１１が移動局３０に周辺セル情報を通知する第２の方法について図５を用いて説明する。セル情報抽出部１１２は、セル情報入力部１１１からの出力に応じて、セル情報格納部１２０に格納されている周辺セル情報を抽出する（ステップＳ１１）。セル情報入力部１１１から出力された情報がセルＡ２０１およびセルＢ３０１に関するものである場合には、セルＡ２０１〜セルＡ２０９およびセルＢ３０１〜セルＢ３０９に関する情報を周辺セル情報として、図６（ａ）および図６（ｂ）に示すようなテーブル形式でセル情報バッファ部１１３に出力格納する（ステップＳ１２）。
【００３６】
この第２の方法の場合には、各セルには優先順位が付けられている。図６（ａ）および図６（ｂ）の例では、セルＡ２０１の優先順位は「１」であり、セルＡ２０２の優先順位は「２」であり、セルＡ２０２よりもセルＡ２０１の方が優先順位が高いことを示している。この優先順位を決定する際には、そのセルからのハンドオーバ率が統計的に高いセルや、実装チャネル数が比較的多いセルの優先順位を高く設定すればよい。
【００３７】
セル情報バッファ部１１３に周辺セル情報が格納されると、セル順位決定部１１４は合成テーブルを作成する（ステップＳ１３）。本実施形態の場合には、セルＡ２０１に関する周辺セル情報（図６（ａ）参照）とセルＢ３０１に関する周辺セル情報（図６（ｂ）参照）とを合成する。この合成の方法は種々の方法が採用されるが、本実施形態の場合には図７（ａ）に示すように、セルＡ２０１に関する周辺セル情報とセルＢ３０１に関する周辺セル情報とを交互に組み合わせて合成する。
【００３８】
セル順位決定部１１４は、図７（ａ）に示す合成テーブルに基づいて、重複している周辺セルを特定する（ステップＳ１４）。図７（ａ）の例では、セルＡ２０１とセルＢ３０７が、セルＢ３０１とセルＡ２０７が、セルＡ２０６とセルＢ３０６が、セルＡ２０８とセルＢ３０８が、それぞれセルＩＤが同一であり重複している。
【００３９】
セル順位決定部１１４は、ステップＳ１４で特定した重複している周辺セルの一方を削除する（ステップＳ１５）。すなわち、セルＢ３０７、セルＡ２０７、セルＢ３０６、セルＢ３０８をそれぞれ削除して、図７（ｂ）に示すようなテーブルとする。セル順位決定部１１４は、図７（ｂ）のテーブルを各セルの優先順位に基づいて並べ替えてセル情報バッファ部１１３に格納する（ステップＳ１６）。
【００４０】
セル情報通知部１１５は、ステップＳ１６でセル順位決定部１１４がセル情報バッファ部１１３に格納した周辺セル情報から超過分を削除する（ステップＳ１７）。セル情報通知部１１５は、これらの処理を行った周辺セル情報（図７（ｃ）参照）を移動局３０に通知する（ステップＳ１８）。
【００４１】
引き続いて、周辺セル通知装置１１が移動局３０に周辺セル情報を通知する第３の方法について図８を用いて説明する。セル情報抽出部１１２は、セル情報入力部１１１からの出力に応じて、セル情報格納部１２０に格納されている周辺セル情報を抽出する（ステップＳ２１）。セル情報入力部１１１から出力された情報がセルＡ２０１およびセルＢ３０１に関するものである場合には、セルＡ２０１〜セルＡ２０９およびセルＢ３０１〜セルＢ３０９に関する情報を周辺セル情報として、図６（ａ）および図６（ｂ）に示すようなテーブル形式でセル情報バッファ部１１３に出力格納する（ステップＳ２２）。この第３の方法の場合には、第２の方法の場合と同様に各セルには優先順位が付けられている。
【００４２】
セル情報バッファ部１１３に周辺セル情報が格納されると、セル順位決定部１１４は合成テーブルを作成する（ステップＳ２３）。本実施形態の場合には、セルＡ２０１に関する周辺セル情報（図６（ａ）参照）とセルＢ３０１に関する周辺セル情報（図６（ｂ）参照）とを合成する。この合成の方法は種々の方法が採用されるが、本実施形態の場合には図９（ａ）に示すように、セルＡ２０１に関する周辺セル情報とセルＢ３０１に関する周辺セル情報とを交互に組み合わせて合成する。
【００４３】
セル順位決定部１１４は、図９（ａ）に示す合成テーブルに基づいて、重複している周辺セルを特定する（ステップＳ２４）。図９（ａ）の例では、セルＡ２０１とセルＢ３０７が、セルＢ３０１とセルＡ２０７が、セルＡ２０６とセルＢ３０６が、セルＡ２０８とセルＢ３０８が、それぞれセルＩＤが同一であり重複している。
【００４４】
セル順位決定部１１４は、ステップＳ２４で特定した重複している周辺セルの一方をテーブルの前方に配置する（ステップＳ２５）。すなわち、セルＡ２０１、セルＢ３０１、セルＡ２０６、セルＡ２０８をテーブルの前方に配置する。セル順位決定部１１４は、ステップＳ０４で特定した重複している周辺セルの他方を削除する（ステップＳ２６）。すなわち、セルＢ３０７、セルＡ２０７、セルＢ３０６、セルＢ３０８をそれぞれ削除する。セル順位決定部１１４は、ステップＳ２５でテーブルの前方に配置したものを除いた各セルを、それらの優先順位に基づいて並べ替えて、図９（ｂ）に示すようなテーブルとしてセル情報バッファ部１１３に格納する（ステップＳ２７）。
【００４５】
セル情報通知部１１５は、ステップＳ２７でセル順位決定部１１４がセル情報バッファ部１１３に格納した周辺セル情報から超過分を削除する（ステップＳ２８）。セル情報通知部１１５は、これらの処理を行った周辺セル情報（図９（ｃ）参照）を移動局３０に通知する（ステップＳ２９）。
【００４６】
本実施形態においては、周辺セル情報に基づいて、通信に用いている複数のセルのうちの一のセル（セルＡ２０１）と他のセル（セルＢ３０１）とに共通する周辺セルに関する周辺セル情報を優先させて移動局３０に通知する順位を決定するので、これらの共通するセルがハンドオーバ候補にならないために生じる通信品質の劣化やシステム容量の縮小を極力抑制できる。
【００４７】
また本実施形態においては、周辺セル情報と優先順位情報とに基づいて、移動局３０に通知する周辺セル情報の順位を決定するので、優先順位をセルの通信状況といった環境要因に応じて定めることで、通信品質の劣化やシステム容量の縮小を極力抑制できる。
【００４８】
【発明の効果】
本発明によれば、周辺セル情報に基づいて、通信に用いている複数のセルのうちの一のセルと他のセルとに共通する周辺セルに関する周辺セル情報を優先させて移動局に通知する順位を決定して通知するので、これらの共通するセルがハンドオーバ候補にならないために生じる通信品質の劣化やシステム容量の縮小を極力抑制できる。従って本発明の目的とする、複数セルを用いて通信中の移動局に対して周辺セル情報を通知する場合に、移動局に通知・監視可能な範囲内でより効率的に通知できる周辺セル通知装置および周辺セル通知方法を提供することができた。
【図面の簡単な説明】
【図１】本発明の実施形態である周辺セル通知装置を説明するための図である。
【図２】図１の周辺セル通知装置を用いて、周辺セル情報を通知する方法を説明するための図である。
【図３】周辺セル情報の具体例を説明するための図である。
【図４】周辺セル情報の具体例を説明するための図である。
【図５】図１の周辺セル通知装置を用いて、周辺セル情報を通知する方法を説明するための図である。
【図６】周辺セル情報の具体例を説明するための図である。
【図７】周辺セル情報の具体例を説明するための図である。
【図８】図１の周辺セル通知装置を用いて、周辺セル情報を通知する方法を説明するための図である。
【図９】周辺セル情報の具体例を説明するための図である。
【符号の説明】
１０…無線制御局、１１…周辺セル通知装置、２０…基地局、３０…移動局、４０…コア・ネットワーク、１１１…セル情報入力部、１１２…セル情報抽出部、１１３…セル情報バッファ部、１１４…セル順位決定部、１１５…セル情報通知部、２０１〜２０９…セルＡ、３０１〜３０９…セルＢ。
【図１】
2004193650.tif 000003
【図２】
2004193650.tif 000004
【図３】
2004193650.tif 000005
【図４】
2004193650.tif 000006
【図５】
2004193650.tif 000007
【図６】
2004193650.tif 000008
【図７】
2004193650.tif 000009
【図８】
2004193650.tif 000010
【図９】
2004193650.tif 000011